(57)【要約】特にミストを形成し噴射するスプレーヘッドであり、前記スプレーヘッドは、フレーム部分（１）、入口部（２）及び該フレーム部分に形成され且つ該フレーム部分の壁部に形成されている少なくとも一つの開口部（４）まで該入口部から通じている主チャネル（５）を備えており、該スプレーヘッドは、該スプレーヘッド内に配置される少なくとも一つの第二の部分（７）を備え、該フレーム部分の壁部に形成される該開口部（４）と協働して噴霧ノズルを構成する少なくとも一つの開口部（８）が該第二の部分に形成されていることを特徴とする。
2009514672.tif 000002
【特許請求の範囲】
【請求項１】
ミストを形成し噴射するスプレーヘッドであって、前記スプレーヘッドは、フレーム部分（１）、入口部（２）及び、該フレーム部分内に形成され且つ該入口部から該フレーム部分の壁部に形成されている少なくとも一つの開口部（４）まで通じている主チャネル（５）を備えており、該スプレーヘッドは、該スプレーヘッド内に配置される少なくとも一つの第二の部分（７）を備え、該フレーム部分の壁部に形成される該開口部（４）と協働して噴霧ノズルを構成する少なくとも一つの開口部（８）が該第二の部分に形成されていることを特徴とするスプレーヘッド。
【請求項２】
該フレーム部分の内部に該第二の部分（７）が配置されていることを特徴とする、請求項１に記載のスプレーヘッド。
【請求項３】
該フレーム部分（１）の外側に該第二の部分（７）が配置されていることを特徴とする、請求項１に記載のスプレーヘッド。
【請求項４】
該フレーム部分の該主チャネル（５）内に該第二の部分（７）が配置されていることを特徴とする、請求項２に記載のスプレーヘッド。
【請求項５】
該第二の部分（７）はスリーブ状部分であり、前記スリーブ状部分の壁部、特に側壁部、を通して該開口部（８）が形成されていることを特徴とする、請求項２若しくは３に記載のスプレーヘッド。
【請求項６】
該第二の部分（７）の該開口部（８）が該フレーム部分（１）の該開口部（４）に対してほぼ同一の角度を成して配置されていることを特徴とする、請求項１乃至５のいずれか一項に記載のスプレーヘッド。
【請求項７】
該第二の部分の該開口部（８）が該フレーム部分の該開口部（４）に対して相対的に異なった角度を成して配置されていることを特徴とする、請求項１乃至６のいずれか一項に記載のスプレーヘッド。
【請求項８】
該フレーム部分の該開口部（４）の適用範囲の領域に該第二の部分の一つの開口部（８）を有していることを特徴とする、請求項１乃至７のいずれか一項に記載のスプレーヘッド。
【請求項９】
該フレーム部分の該開口部（４）の適用範囲の領域に該第二の部分の少なくとも二つの開口部（８’、８”）を有していることを特徴とする、請求項１乃至８のいずれか一項に記載のスプレーヘッド。
【請求項１０】
該第二の部分（７）であるスリーブ部分に配置されている該開口部（８、８’、８”）が中央チャネル（９）に対してある角度を成して配置されていることを特徴とする、請求項１乃至９のいずれか一項に記載のスプレーヘッド。
【請求項１１】
該第二の部分（７）に設けられている該開口部（８’、８”）は互いに異なった角度を成して配置されていることを特徴とする、請求項１乃至１０のいずれか一項に記載のスプレーヘッド。
【請求項１２】
該第二の部分（７）は移動可能であるように配置されていることを特徴とする、請求項１乃至１１のいずれか一項に記載のスプレーヘッド。
【請求項１３】
該第二の部分（７）は少なくとも二つの位置の間を移動可能であるように配置されており、第一位置では少なくとも一つの第一開口部（８’）が該フレームの該開口部（４）の適用範囲の領域にあり、第二位置では少なくとも一つの第二開口部（８”）が該フレームの該開口部（４）の適用範囲の領域にあることを特徴とする、請求項１乃至１２のいずれか一項に記載のスプレーヘッド。
【請求項１４】
該第二の部分（７）は噴霧媒体によって移動可能であるように配置されていることを特徴とする、請求項１乃至１３のいずれか一項に記載のスプレーヘッド。
【請求項１５】
スリーブ部分（７）が圧力差によって移動可能であるように配置されていることを特徴とする、請求項１乃至１４のいずれか一項に記載のスプレーヘッド。
【請求項１６】
該第二の部分（７）に配置されている狭窄領域１９を有していることを特徴とする、請求項１乃至１５のいずれか一項に記載のスプレーヘッド。
【請求項１７】
該スプレーヘッドの主チャネル（５）若しくは該第二の部分のチャネル（９）内に、摺動可能に配置されているバルブ要素（６）を備えており、前記バルブ要素（６）は少なくとも二つの位置の間を移動可能であり、第一位置では該入口部（２）と少なくとも一つのノズル（４、８、８’、８”）との間の流路を遮断し、第二位置では該入口部から該少なくとも一つのノズルまでの流路を開放状態にすることを特徴とする、請求項１乃至１６のいずれか一項に記載のスプレーヘッド。
【請求項１８】
媒体の流れ方向において、該ノズルの第一開口部（８、８’、８”）は第二開口部（４）に比べて小さいことを特徴とする、請求項１乃至１７のいずれか一項に記載のスプレーヘッド。
【請求項１９】
第一開口部（８、８’、８”）の直径（ｄ）は第二開口部の直径（Ｄ）の０．１乃至０．９倍に等しいことを特徴とする、請求項１乃至１８のいずれか一項に記載のスプレーヘッド。
【請求項２０】
開口部（４）の少なくともいくつかの間に媒体流路（２３）が設けられていることを特徴とする、請求項１乃至１９のいずれか一項に記載のスプレーヘッド。
【請求項２１】
該第二の部分（７）及び／若しくは該フレーム部分（１）には溝（２３）若しくは同様のものが設けられていることを特徴とする、請求項１乃至２０のいずれか一項に記載のスプレーヘッド。
【請求項２２】
該スプレーヘッドフレームの該開口部（４）のいくつかのみの適用範囲の領域に配置されている開口部（８）を該第二の部分（７）が有していることを特徴とする、請求項１乃至２１のいずれか一項に記載のスプレーヘッド。
【請求項２３】
該フレームの該開口部（４）のいくつかは媒体噴霧開口部として機能し、該スリーブにおいて対向する開口部（８）がない該フレームの該開口部は、空気供給開口部（４’）として機能することができることを特徴とする、請求項１乃至２２のいずれか一項に記載のスプレーヘッド。
【請求項２４】
いずれの第二の孔（４）はノズルとして機能し、一方、該ノズル（８、４）が放出装置として機能する際には、他のいずれの第二の孔（４’）を通して、空気が流入することを特徴とする、請求項１乃至２３のいずれか一項に記載のスプレーヘッド。
【発明の詳細な説明】
【技術分野】
【０００１】
本発明は、請求項１のプリアンブルに記載のスプレーヘッドに関する。
【背景技術】
【０００２】
消火技術において知られている現行のスプレーヘッドは、バルブ要素が設けられている特にスプリンクラーヘッドなどのスプレーヘッドを含有している。該バルブ要素は非作動状態では液体流路を遮断しており、例えばアンプルの熱的破壊に誘発されて該スプリンクラーが作動した際には、一つ以上のノズルに消火媒体を流すことができる位置をとる。
【０００３】
このタイプのスプリンクラーヘッドは米国特許第６，３１８，４７４号に開示されている。該特許の明細書に記載されている解決策では、フレーム内に第一及び第二の穿孔を作成することによってノズルが形成されており、それぞれのノズルはそれら穿孔が協働することによって構成されている。第一の穿孔は第一の直径を有しており、第二の穿孔は第二の直径を有している。該スプレーヘッドは非常に効果的に媒体ミストを生成する。しかしながら、開示された解決策は製造技術における要求が厳しく、一方において該第一及び該第二の穿孔の寸法に制限があり、他方においてそれらの相互方位に関しても制限を課している。
【発明の開示】
【発明が解決しようとする課題】
【０００４】
本発明の目的は、特にスプリンクラーヘッドなどのスプレーヘッドと併せて利用する完全に新規なタイプの解決策を実現することであり、この解決策は製造技術の点から改良された構成を得ることを可能にする。本発明の別の目的は、例えば利用に応じて最適化された方法のように、必要に応じて特性を変化させることができるスプレーヘッドを創出することである。
【課題を解決するための手段】
【０００５】
本発明は、スプレーヘッドのフレームにスリーブ部分のような第二の部分を設け、且つ該第二の部分の壁部に少なくとも一つの開口部を設け、これにより、該第二の部分の該開口部は該フレームに配置されている開口部と協働して該スプレーヘッドの少なくとも一つのノズルを構成するというコンセプトに基づいている。本発明のコンセプトによれば、該第二の部分には所望の態様で形成される少なくとも一つの開口部を設けることができ、該開口部の寸法、形状及び／若しくは方位を、必要に応じて、用途に従って最適化して形成することができる。本発明のさらなる別のコンセプトによれば、該第二の部分は移動可能であるように形成される。
【０００６】
より正確な表現では、本発明のスプレーヘッドには少なくとも一つの第二の部分が設けられており、少なくとも一つの開口部が該第二の部分に形成されており、該第二の部分の開口部はフレーム部分の壁部に形成されている開口部と協働してスプレーノズルを構成していることを特徴とする。
【０００７】
本発明のスプレーヘッドは請求項２乃至２４に述べられている内容によって、付加的に特徴づけられる。
【０００８】
本発明の解決策は重要な利点を多数有している。フレーム及びスリーブ部分のような第二の部分の種々の組み合わせを利用することによって、スプレーヘッドの噴霧特性を用途に応じて変化させることができる。本発明のスプレーヘッドは動作において非常に信頼性があり、製造技術に関して非常に良好な構成を有している。本発明は、例えば、フレームに形成されるノズル開口部の寸法及び／若しくは方位と第二の部分に形成されるノズル開口部の寸法及び／若しくは方位を相対的にかなり相違させる解決策を与える。このことは、従来技術に比べ、とりわけ、ノズルヘッドのフレームのような同一本体に穿孔のような開口部が形成されているノズルヘッドの場合に比べて、ノズル特性のかなり広範なバリエーションやかなり広範な適用用途を得ることができる。該第二の対象要素に形成された開口部の方位とフレームに形成された開口部の方位が互いに相対的にある角度を有する配置を用いることによって、当該角度を変化させることにより噴霧の形状を調節することができる。これはスプレーヘッドの噴霧特性の非常に広範なバリエーションを与える。フレームの開口部及び第二の部分の開口部をスプレーヘッドの垂直軸に対する関係のみならず、接線軸方向に対しても互いに相対的に異なった方向に向くようにすることができる。本発明の解決策は、ノズルヘッドのフレームに形成されたノズル開口部に関連させて、即ちノズル開口部の適用範囲の領域において、第二の部分に複数の開口部を形成することを許容する。フレームに形成される開口部に関連させて第二の部分に二つ以上の孔を形成することによって、ノズルによって吐出される噴霧の形状を調節することが可能になる。従って、所望に応じて良好な浸透力を有する噴霧を得ることができ、これは、ある種の消火作業における適用において、特に、液体ミストに基づく消火作業における適用において卓越した重要性を有する。
【０００９】
ノズルヘッドにおいて異なるノズル間に接続を形成することにより、例えば、フレームと第二の部分の間に媒体チャネルを形成することによって、スプレーヘッドの特性をさらに拡張することが可能になる。例えば、第二の部分またはフレーム若しくは双方に溝を形成することによって、該媒体チャネルを効果的に形成することができる。この場合、スプレーヘッドのフレームの開口部のいくつかのみに関連させた開口部をスリーブ部分のような第二の部分に設けることによって、スプレーヘッドの噴霧特性をさらに拡張することができる。開口部のいくつかはノズルとして機能し、スリーブのような第二の部分において対向する開口部が存在していないノズルの開口部は、このとき、空気供給開口部として機能することができる。スリーブのような第二の部分は、フレームに穿孔された孔に対向する領域内に形成された溝を有するようにしてもよく、これにより、孔の少なくともいくつかは互いに通じるようにされている。このように、第二の孔全てはノズルとして機能し、一方、ノズルが放出装置のように機能する場合には、他の第二の孔全てを通して空気が流入する。追加的な空気供給空孔は、吐出される噴霧の形状及び浸透力を調節することを可能にする。補充空気がない場合は、生成された噴霧は、例えば、より幅広な及び／若しくはよりソフトなものであり、一方、補充空気を用いた場合は、例えば、より幅狭な及び／若しくはより鋭いシャープな噴霧が生成される。
【００１０】
スリーブのような第二の部分及びフレームを互いに相対的に移動可能であるように配置させることができる。好ましくは、第二の部分はフレーム内で少なくとも二つの位置の間を移動可能であるように構成される。これは、第一位置においてはある特定の噴霧特性を与える構成的特徴をフレームと第二の部分の間において互いを整合させるように構成し、第二位置においては、異なった噴霧特性を与える構成的特徴をフレームと第二の部分の間において互いを整合させるように構成することを可能にする。この場合、例えば、噴霧媒体が高圧力を有する際には、噴霧媒体の圧力が低い場合とは異なった特性を有するようにスプレーヘッドを設定することができる。媒体圧力及び特にバネ要素などのプレテンション要素のような反発要素を用いることによって、製造技術の点から有利な且つ動作において非常に信頼性があるスプレーヘッドの特性を変化させる解決策を得ることが可能になる。第二の部分としてスリーブ要素を用いることによって、非常に有利な解決策が得られる。スリーブ要素内に絞り要素を形成し、且つ反発要素を用いることによって、媒体圧力により第二の要素を移動させる非常に利便且つ信頼性のある解決策が得られる。スリーブの上端部に絞り孔を設けることによって、圧力差が生成され、噴霧媒体の吐出圧が高い場合にはスリーブを下方に押圧し、異なった噴霧を与える。噴霧媒体の吐出圧が低い場合には、圧力差は減少し、反発要素として使用されるバネがスリーブを上方に上昇させるように作用し、新たな孔が新たな種類の噴霧を与える。
【発明を実施するための最良の形態】
【００１１】
図１、１ａ及び２は本発明によるスプレーヘッドを示している。図中に示されているスプレーヘッドは特に消火用に設計されたスプリンクラーヘッドである。該スプレーヘッドは特に媒体ミストをスプレーすることを意図している。該スプレーヘッドはフレーム部分１及び該スプレーヘッドに噴霧媒体を供給する入口部２を有している。フレーム部分１には内孔５が設けられている。内孔５内には、好ましくは第一端部１０及び第二端部１１を有するスリーブ状部分となっている、第二の部分７が配置されている。該第二の部分は、第一端部１０から第二端部１１まで流路を形成している少なくとも一つのチャネル９を含んでいる。少なくとも一つの第一開口部８が該第二の部分の壁部を貫通して形成されている。フレーム部分１は少なくとも一つの開口部４を有している。第二の部分７の開口部８及びフレーム部分１の開口部４は協働して機能するように配置されており、それにより、媒体が当該両開口部を通して流れた際に、ノズルヘッドが媒体スプレ（噴霧）を生成し、特に媒体ミスト噴霧を生成する。該第二の部分の開口部８は該フレーム部分の適用範囲にある。図１及び２に示されている実施態様では、該スプレーヘッドはバルブ要素６を備えており、図１に示されている位置においては、入口部２から開口部８及び４によって形成されるノズルまでの流路に媒体が流れるのを遮断するように該バルブ要素が配置されている。該第二の部分に開口部８を及び該フレーム部分に開口部４を設けることによって、種々の特性を有する開口部８及び開口部４によりフレーム部分１−第二の部分７の種々の組み合わせを有利に変化させることが可能になる。図中では、第二の部分７がフレーム部分１の内部及びチャネル５内に配置されているが、代替としては、少なくとも、該フレーム部分のノズル孔の少なくともいくつかが配置されている領域内において、該第二の部分を該フレーム部分の外側に配置させることも考えられる。
【００１２】
該フレーム内の該内孔内に封止（シール）要素１２若しくは同様のものが配置されている。封止要素１２は好ましくは該内孔内に位置し、第二の部分７と入口側の部分３の間で押圧されており、これにより、該フレーム内の該内孔内で移動可能に配置されているバルブ要素６と協働して、該スリーブ内でチャネル９への流路を閉鎖する。該バルブ要素の第一位置では、バルブ要素６、すなわちプランジャーはノズル８及び４への媒体流入路を遮断している。図１の場合では、該バルブ要素は係止手段１４及び１５によって該第一位置に係止されている。図中の実施態様では、該バルブ要素を係止及び／若しくは解放する手段として熱感知要素１４を備えている。熱感知要素１４は例えばある温度で壊れる、消火技術において知られているアンプルとすることができる。同様に、熱感知要素１４はある温度で溶解するものでも差し支えない。当然、該バルブ要素を解放する手段はほかのタイプの装置から構成されていても差し支えなく、例えば消火システムにおける制御システムから伝達される信号に基づいて、機能するものが考えられる。バルブ要素６内に内孔１６が形成されており、図中に見られるように該内孔内にアンプル１４の上端部１８が適合するように配置されている。該アンプルが所定の適切な位置にある場合には、該バルブ要素が遮断位置にあるように、アンプル１４及びバルブ要素６の全長が適合されている。
【００１３】
該熱感知要素が破壊されることによって、スプレーヘッドが作動する際には、入口部２の方に面しているバルブ要素６の端部に作用する媒体圧力が、バルブ要素６をして第二位置まで移動させ（図２）、少なくとも一つのノズル８、４への流路を開放する。
【００１４】
図中の実施態様では、該バルブ要素内に形成され、空間９から内孔１６に延在する少なくとも一つの開口部１７をバルブ要素６が有している。該内孔は図２に描写されているような、スプレーヘッドが作動状態にある場合には、噴霧ノズルとして機能することができる。
【００１５】
図３及び４は本発明によるスプレーヘッドの詳細拡大図を示している。図によると、フレーム部分１に形成されている開口部４は第二の部分７に形成されている該開口部の直径ｄと比較して、大きい直径Ｄを有している。本実施態様では、両開口部は互いに相対的に同軸に配置されている。
【００１６】
図５及び６は、該フレームに形成されている開口部４に対して相対的にある角度（α）を成して該第二の部分の該開口部が配置されている第二の実施態様を示している。本発明の本実施態様では、異なった第二の部分７を用いることによって、該開口部の大きさ、形状及び方位を容易に変えることができる。その上、製造技術の点では、例えば同一本体にノズル開口部を配置する解決策と比較して、別個の第二の部分を用いた場合には、より多用途のスプレーヘッドの解決策を得ることが可能になる。該第二の本体に形成されている該開口部の方位と該フレームに形成されている該開口部の方位の間に相対的にある角度を有する配置を用いることによって、角度を変化させることにより噴霧の形状を制御することができる。これはスプレーヘッドの噴霧特性の非常に広範なバリエーションを与えてくれる。該フレーム及び該第二の部分の該開口部をスプレーヘッドの垂直軸に対する場合だけでなく、接線軸方向に対しても互いに相対的に異なった方向に向くようにすることができる。図７及び８は、該フレームに形成された開口部４の領域に同時に存在する、いくつかの開口部８’、８”が該第二の部分に設けられている、さらなる別の好適な実施態様を示している。該第二の部分に形成されている該開口部は寸法及び方位に関して互いに異なっている。フレーム１に形成されている開口部４に関連ずけて第二の部分７に２つ以上の孔を形成することによって、ノズルによって吐出される噴霧の形状を調節することが可能になる。従って、より良好な浸透力を持つ噴霧を適宜得ることができ、これは特に液体ミストを基本としたある種の消火作業での利用において卓越した重要性を有する。
【００１７】
図１１、１２及び１３は本発明の解決策の第三の実施態様を示しており、ここではフレームに形成されている開口部４のいくつかが空気流路として機能するように配置されている。この場合、例えばフレーム１と第二の部分７の間に媒体チャネル２３を形成することによって、異なった開口部４間に連結部が設けられ、スプレーヘッドの特性がより拡張される。例えば第二の部分７（図１３）または該フレーム若しくは双方に溝２３を形成することによって、媒体チャネル２３を有効に作成することができる。この場合、スプレーヘッドのフレームの該開口部のいくつかのみに関連付けた開口部を該第二の部分に設けることによって、スプレーヘッドの噴霧特性をより拡張することができる。該開口部のいくつかはノズルとして機能し、該スリーブにおいて対向する位置に開口部８が存在しないフレームの開口部はこのとき、空気供給開口部として機能することができる。スリーブ７は、該フレームに穿孔された孔に対向する領域に形成された溝を有しており、これにより、該孔の少なくともいくつかは互いに通じている。このように、例えば、第二の孔いずれもノズルとして機能し、一方、該ノズルが放出装置として機能する場合には、その他のいずれの第二の孔を通して空気が流入する。付加的な空気供給孔により、吐出される噴霧の形状及び浸透力に作用を与えることを可能にする。補充空気がない場合は、例えば、より幅広な及び／若しくはよりソフトな噴霧を生成することができ、一方、補充空気を用いることによって、例えば、より幅狭な及び／若しくはより鋭いシャープな噴霧を生成することができる。
【００１８】
図９及び１０は本発明のさらなる別の実施態様を示している。スリーブ部分のような第二の部分７及びフレーム１を互いに相対的に移動可能であるように配置することができる。好ましくは、スリーブ部分７は該フレーム内、例えば、チャネル５内で、少なくとも二つの位置の間を移動可能であるように形成される。図９においては、該スリーブ部分は第一位置にあり、図１０においては、スリーブ部分は第二位置にある。該第二の部分はチャネル５内において摺動可能に配置されている。図中に描写される実施態様では、第二の部分７は、該第二の部分内に配置されるＯリング若しくは同様のもののような封止要素２２を有する溝を備えている。ある特定の噴霧特性を与える開口部８’、８”（及び４）のサイズ、形状及び／又は方位のような構造的特徴を第一位置においてフレーム１と第二の部分７の間において互い調整することが可能であり、また、これとは異なる噴霧特性を与える構造的特徴を第二位置においてフレーム１と第二の部分７との間において互いに調整することが可能である。この場合、例えば、噴霧媒体が高圧の際には、噴霧媒体の圧力が低い場合とは異なる特性を持つようにスプレーヘッドを設定することができる。このようなケースは、例えば、消火作業での利用に活用することができる。該第二の部分の動作を支援するために、媒体圧力及び特にバネ要素２０及び２１などのプレテンション要素のような反発要素を利用することによって、動作において非常に信頼性があり、且つ製造技術の点で有利なスプレーヘッドの特性を変化させる解決策を得ることが可能である。第二の部分７のようなスリーブ要素を用いることによって、非常に有利な解決策が得られる。スリーブ要素内に絞り要素１９を形成し、且つ反発要素２０及び２１を用いることによって、媒体圧力により第二の部分７を移動させる非常に利便性のある且つ信頼性のある解決策が得られる。該スリーブの上端部１０に絞り孔１９を設けることによって、噴霧媒体の吐出力が高い場合に圧力差が生成され、スリーブ７を下方に押圧し（図１０）、異なる噴霧を与える。噴霧媒体の吐出圧が低い場合には、圧力差は減少し、反発要素として用いられるバネ２０及び２１が該スリーブを上方に上昇させるように作用し、新らたな孔８’が新たな種類の噴霧を与える（図９）。
【００１９】
ある実施態様によると、反発要素は、特にバネ要素２０及び２１のようなプレテンション要素である。該プレテンション要素は好ましくはカップバネ要素２０及び２１である。
【００２０】
以上の如く、本発明はミスト（霧）を噴射するためのスプレーヘッドに関するものであり、該スプレーヘッドはフレーム部分１、入口部２及び、該フレーム部分内に形成され且つ該フレーム部分の壁部に形成されている少なくとも一つの開口部４まで該入口部から通じている主チャネル５を備えている。スプレーヘッド内に少なくとも一つの第二の部分７及び該第二の部分に形成される少なくとも一つの開口部８が配置され、該開口部は該フレームの壁部に形成された開口部４と協働して噴霧ノズルを形成する。
【００２１】
好適な実施態様によれば、第二の部分７はフレーム部分１の内部に配置される。
【００２２】
本発明の好適な実施態様によれば、第二の部分７は該フレーム部分の主チャネル５内に配置される。図中に描写された実施態様では、第二の部分７はスリーブ状部分であり、且つ開口部８は該スリーブの壁部、特に、側壁部を貫通して形成される。
【００２３】
ある実施態様では、該第二の部分の開口部８、８’及び８”は該フレーム部分の開口部４とほぼ同一の角度を成すように配置される（図３）。
【００２４】
別の実施態様によれば、該第二の部分の開口部８は該フレーム部分の開口部４に対して相対的に異なった角度（α）を成すように配置される。図５では加えて他の角度も示している。角度（β）はスプレーヘッドチャネル９の主方向に対する開口部８の方向を示している。角度（βγ）はチャネル９の主方向に対する開口部４の方向を表している。本発明に従うスプレーヘッドでは、角度（β）を通常のものに比べてかなり広範囲にわたり変化させることができる。例えば、米国特許第６，３１８，４７４号では０度乃至１２０度の間のいくつかの値が示されている。本発明による解決策では、該第二の本体内に形成される開口部８、８’及び８”の形成に関して製造技術に関する制約も開口部４の寸法に関する制約も共に課されないために、角度（α）を先行技術の解決策からかなり変化させることができる。従って、開口部８、８’及び８”のサイズ、形状及び方位を所望の噴霧特性に従って最適化させることができる。
【００２５】
本発明の第三の実施態様によれば（図７）、該フレーム部分の該開口部の適用範囲の領域に該第二の部分の開口部を二つ以上設けることも可能である。図７では、スプレーヘッドは、該フレーム部分の該開口部の適用範囲の領域に、該第二の部分の開口部を少なくとも二つ有している。
【００２６】
第二の部分７に、すなわち図中に描写された実施態様においてスリーブ部分に設けられている該開口部は、該スリーブの中央チャネルに対して相対的に角度（β）を成して配置されている。第二の部分７に設けられている開口部８’及び８”は互いに相対的に異なった角度で配置されている。
【００２７】
ある実施態様によれば、スリーブ部分である第二の部分７は移動可能であるように配置されている。スリーブ部分７は少なくとも二つの位置の間で移動可能であるように配置されており、第一位置では、少なくとも一つの第一開口部８’が該フレームの開口部４の適用範囲の領域にあり、第二位置では、少なくとも一つの第二開口部８”が該フレームの開口部４の適用範囲の領域にある。
【００２８】
スリーブ部分７は噴霧媒体によって移動可能であるように配置されている。スリーブ部分７は圧力差によって移動可能であるように配置されている。
【００２９】
スリーブ部分７は、該スリーブ部分内に配置されている狭窄領域１９を有している。該スプレーヘッドには、特にバネ要素などの、好ましくはカップバネ２０及び２１のようなプレテンション要素のような反発要素が配置されている。従って、該スプレーヘッド内の媒体圧力が十分高くなるまで、該スリーブ部分は該第一位置に止まり、該第二位置に移動しない。圧力が減少した後、該バネ要素は再度該スリーブ要素を該第一位置に戻す。
【００３０】
該スプレーヘッドの主チャネル５内若しくは該第二の部分内のチャネル９内にバルブ要素６が摺動可能に配置され、前記バルブ要素６は少なくとも二つの位置の間を移動可能であり、第一位置では、該入口部２と少なくとも一つのノズル４、８、８’、８”の間の流路を遮断し、第二位置では該入口部から該少なくとも一つのノズルまでの流路を開放する。
【００３１】
媒体流の方向において、図中に描写された実施態様における該ノズルの第一開口部８、８’及び８”は第二開口部４に比べて小さい。第一開口部８、８’及び８”の直径ｄは典型的には第二開口部４の直径Ｄの０．１乃至０．９倍である。スプレーヘッド開口部の寸法に関連した典型的なパラメター及び測定は米国特許第６，３１８，４７４号で示されている。該特許の明細書内に記載されているノズルの寸法は、液体を含有するミストの噴射に有利なように見いだされている。当然、開口部の他のサイズもその適用に応じて利便である。
【００３２】
さらなる別の実施態様では、媒体流路が開口部４の少なくともいくつかの間に設けられている。第二の部分７及び／若しくはフレーム部分１には溝２３若しくは同様のものが設けられている。
【００３３】
第二の部分７は該スプレーヘッドフレームの該開口部のいくつかのみの適用範囲の領域に配置される開口部８を有するようにできる。孔４のいくつかはノズルとして機能し、該スリーブにおいて対向する部分に開口部８がないフレームの該開口部は従って空気供給開口部として機能することができる。
【００３４】
図１２の実施態様では、第二の孔４いずれもがノズルとして機能し、一方、ノズル８及び４が放出装置のように動作する際には他の第二の孔４’のいずれをも通して空気が流入する。媒体噴霧が該第二の部分の開口部８及び該フレームの開口部４を通して吐出される際に吸引が起こり、これにより、空気が開口部４’を通して流入し、溝２３のような媒体流路を通して開口部４に至り、スプレーヘッドから吐出される噴霧に混入する。図１２では、流方向が矢印によって視覚化されている。
【００３５】
本発明のスプレーヘッドの全般的な動作は本明細書では詳細には説明されていないが、当業者には当然明らかであると思われる。この点に関し、関連文献としては、米国特許第６，３１８，４７４号がある。
【００３６】
本発明は上記の実施態様に制限されるものではなく、特許請求の範囲内で可変であることは当業者には明らかである。他の特徴と共に本明細書内で示した特徴もまた、必要に応じて独立した特徴である。代替として、該第二の部分をフレーム部分１の外側に配置することも考えられる。この場合、部分１及び７の開口部４、８、８’及び８”の寸法及び方位は、図中に示された該開口部それらに対して相対的に相互に逆となる。該第二の部分はスリーブ状部分以外のものでも差し支えない。該第二の部分がいくつかの部品を備えるか、若しくはいくつかの部品から形成されることも同様に考えられる。
【図面の簡単な説明】
【００３７】
【図１】本発明による作動可能位置における特にスプリンクラーヘッドであるスプレーヘッドの図１ａの線Ａ−Ａに沿った断面図である。
【図１ａ】媒体供給チャネルと対向する端部から見た本発明によるスプリンクラーヘッドである。
【図２】図１のスプリンクラーヘッドの作動位置における断面図である。
【図３】スプレーヘッドノズルの拡大詳細断面図である。
【図４】スプレーヘッドノズルの拡大詳細図である。
【図５】スプレーヘッドノズルの第二の実施態様の拡大詳細図である。
【図６】スプレーヘッドノズルの拡大詳細図である。
【図７】スプレーヘッドノズルの実施態様の拡大詳細断面図である。
【図８】スプレーヘッドノズルの実施態様の拡大詳細断面図である。
【図９】第一位置における本発明のスプレーヘッドの第二の実施態様である。
【図１０】第二位置における本発明による第二のスプレーヘッドである。
【図１１】スプレーヘッドのさらなる別の実施態様である。
【図１２】スプレーヘッドの図１１内の線Ｂ−Ｂに沿った断面図である。
【図１３】スプレーヘッドの図１２内の線ＸＩＩＩ−ＸＩＩＩに沿った詳細断面図である。
【図１】
2009514672.tif 000003
【図１ａ】
2009514672.tif 000004
【図２】
2009514672.tif 000005
【図３】
2009514672.tif 000006
【図４】
2009514672.tif 000007
【図５】
2009514672.tif 000008
【図６】
2009514672.tif 000009
【図７】
2009514672.tif 000010
【図８】
2009514672.tif 000011
【図９】
2009514672.tif 000012
【図１０】
2009514672.tif 000013
【図１１】
2009514672.tif 000014
【図１２】
2009514672.tif 000015
【図１３】
2009514672.tif 000016
【国際調査報告】
2009514672.tif 000017
2009514672.tif 000018
2009514672.tif 000019
2009514672.tif 000020